(57)【要約】      （修正有）【課題】電極間のずれを防止した蓄電素子の提供。【解決手段】第一の電極２１を含み且つ所定の方向の一方側が開放されるように第一部材ターン部２３４Ａ，Ｂで方向転換している折り返し部を少なくとも一つ有する第一部材２１と、所定の方向の一方側が開放されるように第二部材ターン部２６１Ａで方向転換している折り返し部２６１を有し且つ第一の電極２１と極性の異なる第二の電極２２を含む第二部材２６Ａと、を有する電極体２を備え、第一部材ターン部２３４Ａ，Ｂは、第二部材ターン部２６１Ａの谷折り側に直接又は間接に当接する、電子素子。【選択図】図４
2019096466.tif 000002
【特許請求の範囲】
【請求項１】
第一の電極を含み且つ所定の方向の一方側が開放されるように第一部材ターン部で方向転換している折り返し部を少なくとも一つ有する第一部材と、前記所定の方向の一方側が開放されるように第二部材ターン部で方向転換している折り返し部を有し且つ前記第一の電極と極性の異なる第二の電極を含む第二部材と、を有する電極体を備え、
前記第一部材ターン部は、前記第二部材ターン部の谷折り側に直接又は間接に当接する、蓄電素子。
【請求項２】
前記所定の方向の他方側が開放されるように第三部材ターン部で方向転換している折り返し部を有し且つ前記第二の電極と同じ極性の第三の電極を含む第三部材を備え、
前記第一部材は、前記第一部材ターン部である第一の第一部材ターン部で方向転換している前記折り返し部である第一の折り返し部と、前記所定の方向の他方側が開放されるように第二の第一部材ターン部で方向転換している第二の折り返し部とが交互に配置されるつづら折り状態であり、
前記第二の第一部材ターン部は、前記第三部材ターン部の谷折り側に直接又は間接に当接する、請求項１に記載の蓄電素子。
【請求項３】
複数の第一部材と、第二部材と、を有する電極体を備え、
前記複数の第一部材は、それぞれ、第一の電極を含み且つ所定の方向の一方側が開放されるように第一部材ターン部で方向転換している折り返し部を少なくとも一つ有し、
前記第二部材は、前記所定の方向の一方側が開放されるように第二部材ターン部で方向転換している折り返し部を有し且つ前記第一の電極と極性の異なる第二の電極を含み、
前記複数の第一部材の前記折り返し部は、それぞれ、前記第二部材ターン部の谷折り側に直接又は間接に当接する、蓄電素子。
【請求項４】
前記第二部材は、互いに間隔をあけて配置される複数の前記第二の電極と、前記複数の第二の電極に重ねられるセパレータと、を含み、
前記間隔は、前記第二部材ターン部に配置され、
前記第一部材の折り返し部は、前記第二部材ターン部における前記間隔が配置された領域に対して直接又は間接に当接する、請求項１〜３のいずれか１項に記載の蓄電素子。
【請求項５】
前記セパレータは、基材と、前記基材に重ねられる粒子層と、を有し、
前記粒子層は、粒子と、バインダーと、を有する、請求項４に記載の蓄電素子。
【請求項６】
前記第一部材は、前記第一部材ターン部の旋回軸方向における前記第一部材ターン部の端縁から折れ曲がった状態で前記旋回軸方向に延びる延出片を有する、請求項１〜５のいずれか１項に記載の蓄電素子。
【発明の詳細な説明】
【技術分野】
【０００１】
本発明は、第一の電極を含む第一部材の折り返し部が第二の電極を含む第二部材の谷折り面の内側に配置されている電極体を備える蓄電素子に関する。
【背景技術】
【０００２】
従来から、負極電極板及び正極電極板の一方の電極板がつづら折り状に積層されているリチウムイオン二次電池（以下、単に「電池」と称する）が知られている（特許文献１参照）。具体的に、この電池は、図２４に示すように、負極電極板５０１と、正極電極板５０４と、両電極板５０１、５０４間に挿入されたセパレータ５０７とが、交互に積層されて構成された電極積層体である。
【０００３】
負極電極板５０１は、両面でセパレータ５０７と密着しており、長手方向に所定間隔で交互に折り畳まれてつづら折り状に積層された長尺の可撓性材料からなる電極板（長尺電極板と称する）である。負極の長尺電極板５０１は、銅箔５０２の両面に形成された負極活物質層５０３をもつ。
【０００４】
セパレータ５０７は、長尺の絶縁膜からなり、その厚さ方向に電荷の移動が可能な電池用セパレータである。このセパレータ５０７は、負極の長尺電極板５０１の両面に接して折り畳まれている。具体的に、セパレータ５０７は、長尺電極板５０１の銅箔５０２のうち、負極活物質層５０３の形成されている部分を両面から包み込んでいる。即ち、長尺電極板５０１とその両面を包むセパレータ５０７とは一体化して一体長尺物５０８を形成している。
【０００５】
正極電極板５０４は、両面でセパレータ５０７に密着しており、多数の互いに独立した短冊形状の電極板（短冊状電極板と称する）である。正極の各短冊状電極板５０４は、アルミニウム箔５０５の両面に形成された正極活物質層５０６をもつ。
【０００６】
そして、長尺電極板５０１とセパレータ５０７とからなる一体長尺物５０８に対し、その両側から多数の短冊状電極板５０４が交互に積層されて電池５００が構成されている。即ち、一枚の一体長尺物５０８と多数の短冊状電極板５０４との積層に際し、一体長尺物５０８はつづら折りに折り畳まれ、その間に短冊状電極板５０４が両側から挿入されて一体長尺物５０８に挟持された構造を電池５００は持っている。
【０００７】
しかし、上記の電池５００では、枚葉状（短冊状）の短冊状電極板５０４は、つづら折りに折り畳まれた一体長尺物５０８に単に挟まれているだけであるため、電池５００に振動等が加わることによって、配置されている位置からずれる、即ち、負極電極板５０１に対してずれることがある。
【先行技術文献】
【特許文献】
【０００８】
【特許文献１】特開２０１４−１０３０８２号公報
【発明の概要】
【発明が解決しようとする課題】
【０００９】
そこで、本実施形態は、電極体において第一の電極に対し第二の電極がずれ難い蓄電素子を提供することを目的とする。
【課題を解決するための手段】
【００１０】
本実施形態の蓄電素子は、
第一の電極を含み且つ所定の方向の一方側が開放されるように第一部材ターン部で方向転換している折り返し部を少なくとも一つ有する第一部材と、前記所定の方向の一方側が開放されるように第二部材ターン部で方向転換している折り返し部を有し且つ前記第一の電極と極性の異なる第二の電極を含む第二部材と、を有する電極体を備え、
前記第一部材ターン部は、前記第二部材ターン部の谷折り側に直接又は間接に当接する。
【００１１】
かかる構成によれば、第二の電極を含む第二部材の第二部材ターン部が、その内側を第一部材ターン部に直接又は間接に当接させているため、所定方向の一方側への第二部材の移動が規制され、これにより、第一の電極に対する第二の電極のずれが抑えられる。
【００１２】
前記蓄電素子では、
前記所定の方向の他方側が開放されるように第三部材ターン部で方向転換している折り返し部を有し且つ前記第二の電極と同じ極性の第三の電極を含む第三部材を備え、
前記第一部材は、前記第一部材ターン部である第一の第一部材ターン部で方向転換している前記折り返し部である第一の折り返し部と、前記所定の方向の他方側が開放されるように第二の第一部材ターン部で方向転換している第二の折り返し部とが交互に配置されるつづら折り状態であり、
前記第二の第一部材ターン部は、前記第三部材ターン部の谷折り側に直接又は間接に当接してもよい。
【００１３】
かかる構成によれば、第三の電極を含む第三部材の第三部材ターン部が、その内側を第二の第一部材ターン部に直接又は間接に当接させているため、所定方向の他方側への第三部材の移動が規制され、これにより、第一の電極に対する第三の電極のずれが抑えられる。
【００１４】
また、他の実施形態の蓄電素子は、
複数の第一部材と、第二部材と、を有する電極体を備え、
前記複数の第一部材は、それぞれ、第一の電極を含み且つ所定の方向の一方側が開放されるように第一部材ターン部で方向転換している折り返し部を少なくとも一つ有し、
前記第二部材は、前記所定の方向の一方側が開放されるように第二部材ターン部で方向転換している折り返し部を有し且つ前記第一の電極と極性の異なる第二の電極を含み、
前記複数の第一部材の前記折り返し部は、それぞれ、前記第二部材ターン部の谷折り側に直接又は間接に当接する。
【００１５】
このように、複数の第一部材の各折り返し部が第二部材ターン部の谷折り側に直接又は間接に当接していることで、各折り返し部（複数の第一部材のそれぞれ）の所定の方向の他方側への移動が規制されるため、複数の第一部材同士の位置ずれが抑えられる。即ち、第二部材によって複数の第一部材同士のずれが抑えられる。
【００１６】
また、前記蓄電素子では、
前記第二部材は、互いに間隔をあけて配置される複数の前記第二の電極と、前記複数の第二の電極に重ねられるセパレータと、を含み、
前記間隔は、前記第二部材ターン部に配置され、
前記第一部材の折り返し部は、前記第二部材ターン部における前記間隔が配置された領域に対して直接又は間接に当接してもよい。
【００１７】
かかる構成によれば、前記間隔が第二部材ターン部に配置されているため第二部材における第二部材ターン部の寸法が抑えられ、これにより、電極体の大きさを抑えることができる。しかも、前記間隔が第二部材ターン部に配置されることで、第二の電極が折れ曲がることで受けるダメージも抑えられる。
【００１８】
また、前記蓄電素子では、
前記セパレータは、基材と、前記基材に重ねられる粒子層と、を有し、
前記粒子層は、粒子と、バインダーと、を有してもよい。
【００１９】
かかる構成によれば、セパレータが粒子とバインダーとを有する粒子層を有しているため、第二部材の折り返し部を形成したときに第二部材ターン部に相当する位置に折り目が付き易くなる。その結果、第二部材ターン部の内側に第一部材ターン部を直接又は間接に当接させることによる第一部材の折り返し部に対する第二部材の折り返し部の位置決めが行い易くなる。
【００２０】
また、前記蓄電素子では、
前記第一部材は、前記第一部材ターン部の旋回軸方向における前記第一部材ターン部の端縁から折れ曲がった状態で前記旋回軸方向に延びる延出片を有してもよい。
【００２１】
かかる構成によれば、延出片が折れ曲がった状態で延びているため、延出片の強度が確保される。
【発明の効果】
【００２２】
以上より、本実施形態によれば、電極体において第一の電極に対し第二の電極がずれ難い蓄電素子を提供することができる。
【図面の簡単な説明】
【００２３】
【図１】図１は、本実施形態に係る蓄電素子の斜視図である。
【図２】図２は、前記蓄電素子の分解斜視図である。
【図３】図３は、図１のＩＩＩ−ＩＩＩ位置の断面図である。
【図４】図４は、電極体を説明するための斜視図である。
【図５】図５は、図４のＶ−Ｖ位置の断面模式図である。
【図６】図６は、負極の構成を説明するための図である。
【図７】図７は、図６のＶＩＩ−ＶＩＩ位置の断面図である。
【図８】図８は、つづら折り状態の負極の構成を説明するための斜視図である。
【図９】図９は、折り返し部を説明するための斜視図である。
【図１０】図１０は、第二部材の構成を説明するための図である。
【図１１】図１１は、第三部材の構成を説明するための図である。
【図１２】図１２は、最も外側に配置される第二部材及び第三部材の構成を説明するための図である。
【図１３】図１３は、第二部材折り返し部の内側に複数の折り返し部が配置される構成を説明するための模式図である。
【図１４】図１４は、複数の第二部材折り返し部を有する第二部材を説明するための模式図である。
【図１５】図１５は、他実施形態に係る第二部材折り返し部の構成を説明するための模式図である。
【図１６】図１６は、他実施形態に係る負極タブの構成を説明するための斜視図である。
【図１７】図１７は、隣り合うつづら折り状態の負極同士を接続する第二部材又は第三部材を説明するための模式図である。
【図１８】図１８は、隣り合うつづら折り状態の負極同士を接続する第二部材又は第三部材を説明するための模式図である。
【図１９】図１９は、他実施形態に係る第二部材の構成を説明するための図である。
【図２０】図２０は、独立した複数の第一部材折り返し部を有する電極体の構成を説明するための図である。
【図２１】図２１は、折り返し部を有する部材の構成を説明するための模式図である。
【図２２】図２２は、他実施形態に係る折り返し部を有する部材の構成を説明するための図である。
【図２３】図２３は、前記蓄電素子を備える蓄電装置の模式図である。
【図２４】図２４は、従来の電池の積層構成を模式的に示す断面図である。
【発明を実施するための形態】
【００２４】
以下、本発明に係る蓄電素子の一実施形態について、図１〜図１２を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００２５】
本実施形態の蓄電素子は、非水電解質二次電池である。より詳しくは、蓄電素子は、リチウムイオンの移動に伴って生じる電子移動を利用したリチウムイオン二次電池である。この種の蓄電素子は、電気エネルギーを供給する。蓄電素子は、単一又は複数で使用される。具体的に、蓄電素子は、要求される出力及び要求される電圧が小さいときには、単一で使用される。一方、蓄電素子は、要求される出力及び要求される電圧の少なくとも一方が大きいときには、他の蓄電素子と組み合わされて蓄電装置に用いられる。前記蓄電装置では、該蓄電装置に用いられる蓄電素子が電気エネルギーを供給する。
【００２６】
蓄電素子は、図１〜図３に示すように、電極体２を備える。また、蓄電素子１は、電極体２を収容するケース３と、少なくとも一部が外部に露出した状態でケース３に取り付けられる外部端子４と、電極体２と外部端子４とを接続する集電体５と、を備える。また、蓄電素子１は、電極体２とケース３との間に配置される絶縁部材６等も備える。尚、各図においては、構造を示すために、電極体２を構成する電極等の厚さを誇張して表す等、電極体２の構成を模式的に表している。
【００２７】
電極体２は、図４及び図５にも示すように、第一の電極２１を含む第一部材と、第一の電極２１と極性の異なる第二の電極２２を含む第二部材２６Ａと、を有する。また、電極体２は、第二の電極２２と同じ極性の第三の電極を含む第三部材２６Ｂを有する。本実施形態の電極体２では、第一の電極２１は、負極であり、第二の電極２２は、正極であり、第三の電極は、正極である。また、第一部材は、負極２１のみを含み、第二部材２６Ａは、正極２２とセパレータ２５とを含み、第三部材２６Ｂは、正極とセパレータ２５と、を含む。本実施形態の第三の電極は、第二の電極２２と構成が同じであるため、以下では、第三の電極を「正極２２」と称する。
【００２８】
負極２１（本実施形態の例では、第一部材）は、図６及び図７にも示すように、金属箔２１１と、金属箔２１１の両面のそれぞれに重ねられる負極活物質層２１２と、を有する。即ち、負極２１は、一つの金属箔２１１と一対の負極活物質層２１２とを有する。本実施形態の金属箔２１１は、例えば、銅箔である。この負極２１は、図８にも示すように、長尺な帯状であり、第一部材ターン部２３４で方向転換している（折り返されている）第一部材折り返し部（折り返し部）２３を少なくとも一つ有する。詳しくは、以下の通りである。
【００２９】
負極活物質層２１２は、負極活物質と、バインダーと、を有する。
【００３０】
負極活物質は、例えば、グラファイト、難黒鉛化炭素、及び易黒鉛化炭素などの炭素材、又は、ケイ素（Ｓｉ）及び錫（Ｓｎ）などのリチウムイオンと合金化反応を生じる材料である。本実施形態の負極活物質は、グラファイトである。
【００３１】
負極活物質層２１２に用いられるバインダーは、例えば、ポリフッ化ビニリデン（ＰＶＤＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダーは、ポリフッ化ビニリデンである。
【００３２】
負極活物質層２１２は、ケッチェンブラック（登録商標）、アセチレンブラック、黒鉛等の導電助剤をさらに有してもよい。本実施形態の負極活物質層２１２は、導電助剤を有していない。
【００３３】
この負極２１は、つづら折り状態に折り畳まれた長尺帯状の本体２１０と、本体２１０の長辺（幅方向（短手方向）の端縁）２１０Ａから該本体２１０と離れる方向（幅方向）に延びる少なくとも一つの負極タブ（延出片）２３５と、を有する（図６参照）。本実施形態の本体２１０は、略平板状の平坦部２３３と、本体２１０の幅方向に延びる旋回軸Ｓ周りに湾曲（方向転換）している第一部材ターン部２３４とが交互に配置されることによってつづら折り状態となっている（図８参照）。この本体２１０では、平坦部２３３と第一部材ターン部２３４とによって第一部材折り返し部２３が構成されている。詳しくは、以下の通りである。
【００３４】
第一部材折り返し部２３は、図９に示すように、谷折り面側の面である第一の面２３１及び山折り面側の面（即ち、第一の面２３１と反対側の面）である第二の面２３２をそれぞれ有し且つ第一の面２３１同士を対向させた一対の平坦部２３３と、一対の平坦部２３３の端部同士を接続する第一部材ターン部２３４と、を含む。本実施形態の負極２１は、第一部材ターン部２３４を反対に向けた状態で隣り合う第一部材折り返し部２３（後述する第一の第一部材折り返し部（第一の折り返し部）２３Ａと第二の第一部材折り返し部（第二の折り返し部）２３Ｂ）同士がその一部（平坦部２３３）を共通させた状態で連続するつづら折り状態（蛇腹状）である。
【００３５】
換言すると、負極２１は、所定の方向（図８の左右方向）の一方側が開放されるように折り返された第一部材折り返し部（第一の第一部材折り返し部）２３Ａと、所定の方向の他方側が開放されるように折り返された第一部材折り返し部（第二の第一部材折り返し部）２３Ｂとが交互に配置されたつづら折り状態である。そして、一つの第一部材折り返し部（第一の第一部材折り返し部）２３Ａに着目したときに、第一の第一部材折り返し部２３Ａと、その隣（図８における後ろ側）の第一部材折り返し部（第二の第一部材折り返し部）２３Ｂとでは、第一の第一部材折り返し部２３Ａのターン部である第一の第一部材ターン部２３４Ａと、第二の第一部材折り返し部２３Ｂのターン部である第二の第一部材ターン部２３４Ｂとの間の平坦部２３３Ａ、２３３Ｂを共通させている。
【００３６】
この場合、図８に示すように、第一の第一部材折り返し部２３Ａに着目したときの平坦部２３３Ａでは、第一の第一部材折り返し部２３Ａにおける谷折り面側の面が第一の面２３１Ａであり、その反対側の面（山折り面側の面）が第二の面２３２Ａである。一方、第二の第一部材折り返し部２３Ｂに着目したときの平坦部２３３Ｂ（第一の第一部材折り返し部２３Ａの平坦部２３３Ａと共通させた平坦部２３３Ｂ）では、第二の第一部材折り返し部２３Ｂにおける谷折り面側の面が第一の面２３１Ｂであり、その反対側の面（山折り面側の面）が第二の面２３２Ｂである。即ち、第一の第一部材折り返し部２３Ａと第二の第一部材折り返し部２３Ｂとで共通させている平坦部２３３Ａ、２３３Ｂでは、第一の第一部材折り返し部２３Ａに着目したときと、第二の第一部材折り返し部２３Ｂに着目したときとで、第一の面（第一部材折り返し部２３において向かい合う面）２３１と第二の面（折り返し部において反対方向を向く面）２３２とが逆になる。
【００３７】
具体的には、図８に示すように、負極２１において、帯状の本体２１０が長尺方向において所定間隔で交互に折り返されることによって、平坦部２３３と第一部材ターン部２３４とが交互に形成されている。即ち、長尺帯状の本体２１０が、図６に示す長手方向に所定間隔で交互に設定された山折り線２１Ａの位置と谷折り線２１Ｂの位置とで山折りと谷折りとが交互に繰り返されることによって、つづら折り状態となる。これにより、負極２１（本体２１０）は、複数の平坦部２３３と複数の第一部材ターン部２３４とを有し、複数の平坦部２３３のそれぞれは、平行若しくは略平行に並び、複数の第一部材ターン部２３４（第一の第一部材ターン部２３４Ａ、第二の第一部材ターン部２３４Ｂ）のそれぞれは、隣り合う平坦部２３３の前記長尺方向の一端側の端部同士と他端側の端部同士とを交互に接続している。
【００３８】
以下では、平坦部２３３が並ぶ方向を直交座標系におけるＸ軸方向とし、平坦部２３３に対して第一部材ターン部２３４が配置されている方向（図８における左右方向）を直交座標系におけるＹ軸方向とし、第一部材ターン部２３４の旋回軸Ｓの延びる方向（図８参照）を直交座標系のＺ軸方向とする。
【００３９】
複数の平坦部２３３のそれぞれは、図６、図８、及び図９に示すように、矩形状である。本実施形態の平坦部２３３は、Ｙ軸方向に長い矩形状である。平坦部２３３の両面の全域が負極活物質層２１２に覆われている。
【００４０】
負極タブ２３５は、平坦部２３３の矩形状の輪郭を構成する一辺から突出する（本実施形態の例では、Ｚ軸方向の端縁からＺ軸方向に延びる）。負極タブ２３５は、金属箔２１１を露出させている。即ち、負極タブ２３５は、金属箔２１１のみによって構成されており、負極活物質層２１２を有していない。
【００４１】
つづら折り状態の負極２１において、各平坦部２３３から延びる負極タブ２３５は、Ｘ軸方向から見て重なっている。本実施形態の負極２１では、各負極タブ２３５は、平坦部２３３のＺ軸方向の一方（図８における上側）の端縁におけるＹ軸方向の一方（図８における右側）の端部からＺ軸方向に延びている。この複数の平坦部２３３のそれぞれから延びている負極タブ２３５は、束ねられ、集電体５を介して外部端子４と接続されている（図３参照）。本実施形態の負極タブ２３５の束は、溶接によって集電体５に接続されている。
【００４２】
複数の第一部材ターン部２３４のそれぞれは、つづら折り状態の負極２１において、Ｚ軸方向に延びる軸を旋回軸Ｓ（図８参照）として帯状の本体２１０が旋回（方向転換）している（換言すると、旋回軸Ｓ周りに湾曲している）部位である。第一部材ターン部２３４においても、金属箔２１１の両面が負極活物質層２１２に覆われている。即ち、第一部材ターン部２３４において、金属箔２１１の第一部材ターン部２３４の内側（第二部材２６Ａ側）を向いた面に、負極活物質層２１２が重ねられている。また、第一部材ターン部２３４において、金属箔２１１の第一部材ターン部２３４の外側を向いた面にも、負極活物質層２１２が重ねられている。
【００４３】
第二部材２６Ａは、図４、図５に示すように、Ｙ軸方向（所定の方向）の一方側が開放されるように第二部材ターン部２６１Ａで方向転換している第二部材折り返し部（折り返し部）２６１を有する。この第二部材２６Ａは、図１０にも示すように、複数（図１０に示す例では二つ）の正極２２と、これら複数の正極２２と重なるセパレータ２５と、を有する。
【００４４】
二つの正極２２のそれぞれは、金属箔２２１と、金属箔２２１の両面のそれぞれに重ねられる正極活物質層２２２と、を有する（図５参照）。即ち、正極２２は、一つの金属箔２２１と一対の正極活物質層２２２とを有する。本実施形態の金属箔２２１は、例えば、アルミニウム箔である。
【００４５】
正極活物質層２２２は、正極活物質と、バインダーと、を有する。
【００４６】
本実施形態の正極活物質は、例えば、リチウム金属酸化物である。具体的に、正極活物質は、例えば、ＬｉａＭｅｂＯｃ（Ｍｅは、１又は２以上の遷移金属を表す）によって表される複合酸化物（ＬｉａＣｏｙＯ２、ＬｉａＮｉｘＯ２、ＬｉａＭｎｚＯ４、ＬｉａＮｉｘＣｏｙＭｎｚＯ２等）、ＬｉａＭｅｂ（ＸＯｃ）ｄ（Ｍｅは、１又は２以上の遷移金属を表し、Ｘは例えばＰ、Ｓｉ、Ｂ、Ｖを表す）によって表されるポリアニオン化合物（ＬｉａＦｅｂＰＯ４、ＬｉａＭｎｂＰＯ４、ＬｉａＭｎｂＳｉＯ４、ＬｉａＣｏｂＰＯ４Ｆ等）である。本実施形態の正極活物質は、ＬｉＮｉ１／３Ｃｏ１／３Ｍｎ１／３Ｏ２である。
【００４７】
正極活物質層２２２に用いられるバインダーは、負極活物質層２１２に用いられたバインダーと同様のものである。本実施形態のバインダーは、ポリフッ化ビニリデンである。
【００４８】
正極活物質層２２２は、ケッチェンブラック（登録商標）、アセチレンブラック、黒鉛等の導電助剤をさらに有してもよい。本実施形態の正極活物質層２２２は、導電助剤としてアセチレンブラックを有する。
【００４９】
具体的に、二つの正極２２のそれぞれは、正極本体（電極本体）２２３と、正極本体２２３の周縁から延びる正極タブ（延出片）２２４と、を有する。詳しくは、複数の正極２２のそれぞれは、矩形状の正極本体（電極本体）２２３と、正極本体２２３の矩形状の輪郭を構成する一辺から突出する（本実施形態の例では、Ｚ軸方向の端縁からＺ軸方向に延びる）正極タブ２２４と、を有する。本実施形態の正極本体２２３は、Ｙ軸方向に長い矩形状である。正極本体２２３では、金属箔２２１の両面の全域が正極活物質層２２２に覆われ、正極タブ２２４は、金属箔２２１を露出させている。即ち、正極タブ２２４は、金属箔２２１のみによって構成されており、正極活物質層２２２を有しない。
【００５０】
正極本体２２３における正極活物質層２２２は、Ｘ軸方向に対向する（詳しくは、セパレータ２５を介して対向する）平坦部２３３の負極活物質層２１２よりＺ軸方向において小さい。
【００５１】
正極タブ２２４は、正極本体２２３のＺ軸方向の一方（図４における上側）の端縁におけるＹ軸方向の端部からＺ軸方向に延びている。
【００５２】
以上のように構成される二つの正極２２は、図１０に示すような折り返す前の状態の第二部材２６Ａにおいて、正極タブ２２４が同方向に延び、且つ正極タブ２２４が配置されている側の端部を相手側（中央側）に向けた状態で、間隔αをあけて配置されている。即ち、第二部材２６Ａにおいて、二つの正極２２は、正極タブ２２４が互いに内側（中央側：図１０に示す例では、左右方向における中央側）に位置するように配置されている。
【００５３】
セパレータ２５は、絶縁性を有する部材であり、負極２１と正極２２との間に配置される。これにより、電極体２において、負極２１と正極２２とが互いに絶縁される。また、セパレータ２５は、ケース３内において、電解液を保持する。これにより、蓄電素子１の充放電時において、セパレータ２５を挟んで対向する負極２１と正極２２との間を、リチウムイオンが移動可能となる。
【００５４】
このセパレータ２５は、シート状であり、例えば、ポリエチレン、ポリプロピレン、セルロース、ポリアミドなどの多孔質膜によって構成される。本実施形態のセパレータ２５は、ＳｉＯ２粒子、Ａｌ２Ｏ３粒子、ベーマイト（アルミナ水和物）等の無機粒子と、バインダーと、を含んだ無機層（粒子層）を、多孔質膜によって形成された基材の上に設けることで形成されている。本実施形態のセパレータ２５の基材は、例えば、ポリエチレンによって形成される。
【００５５】
本実施形態のセパレータ２５は、二つの正極２２と重なっている。具体的には、一対のセパレータ２５は、二つの正極２２のそれぞれの正極本体２２３全体を両面側から挟み込むように覆っている。このとき、一対のセパレータ２５のそれぞれは、無機層を内側（正極２２側）に向けた状態で該正極２２を挟み込んでいる。本実施形態の第二部材２６Ａでは、一対の矩形状のセパレータ２５が、二つの正極２２を間に挟み込んだ状態で、各正極２２の周囲を接合（接着、溶着等）されている。このとき、各正極２２の正極タブ２２４は、一対のセパレータ２５から突出し、前記接合は、各正極タブ２２４を避けて行われている。
【００５６】
以上のように構成される第二部材２６Ａは、図４及び図５に示すように、中央部（二つの正極２２の間の位置）において折り返された（折り曲げられた）状態で、第一の第一部材折り返し部２３Ａに対して山折り面側から重ねられる。このとき、各正極２２の正極タブ２２４は、Ｘ軸方向から見て重なっている。この折り曲げられた状態の第二部材２６Ａにおいて、折り返されている部位が上述の第二部材折り返し部２６１であり、第二部材折り返し部２６１の方向転換（湾曲）している部位が上述の第二部材ターン部２６１Ａである。
【００５７】
この第二部材折り返し部２６１は、第一部材折り返し部２３と同様の構成を有する。即ち、第二部材折り返し部２６１は、平行又は略平行な一対の平坦部（第一部材折り返し部２３の平坦部２３３に相当する部位）と、一対の平坦部の端部同士を接続する第二部材ターン部２６１Ａ（第一部材ターン部２３４に相当する部位）と、を有する。そして、第二部材２６Ａは、第二部材ターン部２６１Ａの内側を第一の第一部材ターン部２３４Ａに当接させ且つ第二部材折り返し部２６１の開放されている側を第一の第一部材折り返し部２３Ａに向けた状態で、第一の第一部材折り返し部２３Ａに重ねられている。即ち、負極２１の第一の第一部材折り返し部２３Ａは、第一の第一部材ターン部２３４Ａを第二部材ターン部２６１Ａの内側に当接させた状態で第二部材折り返し部２６１の内側に配置されている。また、第二部材２６Ａにおいて、折れ曲がっている部位（第二部材ターン部２６１Ａ／図１０の間隔αが設けられている部位）には、正極２２が配置されていない。即ち、第二部材２６Ａにおいて、二つの正極２２のそれぞれは、セパレータ２５における第二部材ターン部２６１Ａに相当する部位と重ならない位置に配置されている。
【００５８】
本実施形態の電極体２は、複数の第二部材２６Ａを有する。これら複数の第二部材２６Ａのそれぞれは、隣り合う第一の第一部材折り返し部２３Ａ間において第二部材２６Ａ同士が重ならない位置に配置されている。本実施形態の電極体２では、複数の第二部材２６Ａのそれぞれは、図５に示すように、Ｘ軸方向に並ぶ複数の第一の第一部材折り返し部２３Ａに対し、一つ置きに重ねられている（配置されている）。また、各第二部材２６Ａの第二部材折り返し部２６１の内側に、一つの第一の第一部材折り返し部２３Ａが配置されている。
【００５９】
尚、複数の第二部材２６Ａのうち、図１２に示すような電極体２のＸ軸方向の最も外側に位置する第二部材２６Ａでは、Ｘ軸方向の外側（図１２における最も下側）に位置する正極２２Ａにおける金属箔２２１の外側を向いた面（負極２１と対向している面と反対の面側）には、正極活物質層２２２が配置されていない。即ち、正極活物質層２２２は、金属箔２２１の各面において、負極活物質層２１２（負極２１）と対向する領域のみに配置される。これは、前記外側を向いた面に正極活物質層２２２が配置されていても、該正極活物質層２２２が蓄電素子１の充放電に寄与しないからである。
【００６０】
第三部材２６Ｂは、図４、図５、及び図１１に示すように、複数（図１１に示す例では二つ）の正極２２と、これら複数の正極２２と重なるセパレータ２５と、を有する。
【００６１】
二つの正極２２及びセパレータ２５のそれぞれの構成は、第二部材２６Ａと同様である。第三部材２６Ｂにおいて、二つの正極２２の配置が第二部材２６Ａと異なっている。具体的に、正極２２は、図１１に示すような折り返す前の状態の第三部材２６Ｂにおいて、正極タブ２２４が同方向に延び、且つ正極タブ２２４が配置されている側とは反対側の端部を相手側（中央側）に向けた状態で、間隔αをあけて配置されている。即ち、第三部材２６Ｂにおいて、二つの正極２２は、正極タブ２２４が互いに外側（図１１に示す例では、左右方向における外側）に位置するように配置されている。また、第三部材２６Ｂにおいても、第二部材２６Ａと同様に、一対のセパレータ２５のそれぞれは、無機層を内側（正極２２側）に向けた状態で該正極２２を挟み込んでいる。
【００６２】
以上のように構成される第三部材２６Ｂは、図４及び図５に示すように、中央部（二つの正極２２の間の位置）において折り返された（折り曲げられた）状態で、第二の第一部材折り返し部２３Ｂの山折り面側に重ねられる。このとき、各正極２２の正極タブ２２４は、Ｘ軸方向から見て重なっている。また、第三部材２６Ｂの正極タブ２２４は、Ｘ軸方向から見て第二部材２６Ａの正極タブ２２４とも重なっている。この折り曲げられた状態の第三部材２６Ｂにおいて、折り返されている部位が第三部材折り返し部（折り返し部）２６２であり、第三部材折り返し部２６２の方向転換（湾曲）している部位（図４及び図５に示す例では、折れ曲がっている部位）が第三部材ターン部２６２Ｂである。この第三部材折り返し部２６２は、第一部材折り返し部２３と同様の構成を有する。即ち、第三部材折り返し部２６２は、平行又は略平行な一対の平坦部（第一部材折り返し部２３の平坦部２３３に相当する部位）と、前記一対の平坦部の端部同士を接続する第三部材ターン部２６２Ｂ（第一部材ターン部２３４に相当する部位）と、を有する。そして、第三部材２６Ｂは、第三部材ターン部２６２Ｂを第二の第一部材ターン部２３４Ｂに当接させ且つ第三部材折り返し部２６２の開放されている側を第二の第一部材折り返し部２３Ｂに向けた状態で、第二の第一部材折り返し部２３Ｂに重ねられている。即ち、負極２１の第二の第一部材折り返し部２３Ｂは、第二の第一部材ターン部２３４Ｂを第三部材ターン部２６２Ｂの内側に当接させた状態で第三部材折り返し部２６２の内側に配置されている。また、第三部材２６Ｂにおいて、折れ曲がっている部位（第三部材ターン部２６２Ｂ）には、正極２２が配置されていない。即ち、第三部材２６Ｂにおいて、二つの正極２２のそれぞれは、セパレータ２５における第三部材ターン部２６２Ｂに相当する部位と重ならない位置に配置されている。
【００６３】
本実施形態の電極体２は、複数の第三部材２６Ｂを有する。これら複数の第三部材２６Ｂのそれぞれは、隣り合う第二の第一部材折り返し部２３Ｂ間において第三部材２６Ｂ同士が重ならない位置に配置されている。本実施形態の電極体２では、複数の第三部材２６Ｂのそれぞれは、Ｘ軸方向に並ぶ複数の第二の第一部材折り返し部２３Ｂに対し、一つ置きに重ねられている（配置されている）。また、各第三部材２６Ｂの第三部材折り返し部２６２の内側に、一つの第二の第一部材折り返し部２３Ｂが配置されている。
【００６４】
尚、複数の第三部材２６Ｂのうち、図１２に示すような電極体２のＸ軸方向の最も外側に位置する第三部材２６Ｂでは、前記最も外側に位置する第二部材２６Ａと同様、Ｘ軸方向の外側（図１２における最も上側）に位置する正極２２Ｂにおける金属箔２２１の外側を向いた面には、正極活物質層２２２が配置されていない。即ち、第三部材２６Ｂにおいても、第二部材２６Ａと同様に、正極活物質層２２２は、金属箔２２１の各面において、負極活物質層２１２（負極２１）と対向する領域のみに配置される。これは、第二部材２６Ａと同様に、前記外側を向いた面に正極活物質層２２２が配置されていても、該正極活物質層２２２が蓄電素子１の充放電に寄与しないからである。
【００６５】
本実施形態の電極体２において、第二部材２６Ａの各正極２２の正極タブ２２４、及び第三部材２６Ｂの各正極２２の正極タブ２２４のそれぞれは、上述のように、Ｘ軸方向から見て重なっている。これら複数の正極タブ２２４は、束ねられ、外部端子４と集電体５を介して接続されている。即ち、本実施形態の電極体２では、全ての正極タブ２２４が一箇所で束ねられている。この正極タブ２２４の束は、負極タブ２３５の束と同様に、溶接によって集電体５と接続されている。
【００６６】
図１〜図３に戻り、ケース３は、開口を有するケース本体３１と、ケース本体３１の開口を塞ぐ（閉じる）蓋板３２と、を有する。このケース３では、ケース本体３１と蓋板３２とによって内部空間が画定される。ケース３は、この内部空間に、電極体２と共に電解液を収容する。
【００６７】
この電解液は、非水溶液系電解液である。この電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、エチレンカーボネート、ジメチルカーボネート、及びエチルメチルカーボネートを、エチレンカーボネート：ジメチルカーボネート：エチルメチルカーボネート＝３：２：５の割合で調整した混合溶媒に、１ｍｏｌ／ＬのＬｉＰＦ６を溶解させたものである。
【００６８】
ケース３は、上記の電解液に耐性を有する金属によって形成される。本実施形態のケース３は、例えば、アルミニウム、又は、アルミニウム合金等のアルミニウム系金属材料によって形成される。
【００６９】
ケース本体３１は、板状の閉塞部３１１と、閉塞部３１１の周縁に接続される筒状の胴部（周壁）３１２と、を備える。
【００７０】
閉塞部３１１は、ケース本体３１が開口を上に向けた姿勢で配置されたときにケース本体３１の下端に位置する（即ち、前記開口が上を向いたときのケース本体３１の底壁部となる）部位である。本実施形態の閉塞部３１１は、矩形状である。
【００７１】
胴部３１２は、角筒形状、より詳しくは、偏平な角筒形状を有する。胴部３１２は、閉塞部３１１の周縁における長辺から延びる一対の長壁部３１３と、閉塞部３１１の周縁における短辺から延びる一対の短壁部３１４とを有する。短壁部３１４が一対の長壁部３１３の対応（詳しくは、Ｘ軸方向に対向）する端部同士をそれぞれ接続することによって、角筒状の胴部３１２が形成される。
【００７２】
以上のように、ケース本体３１は、開口方向（Ｚ軸方向）における一方の端部が塞がれた角筒形状（即ち、有底角筒形状）を有する。
【００７３】
蓋板３２は、ケース本体３１の開口を塞ぐ部材である。この蓋板３２の輪郭形状は、ケース本体３１の開口周縁部３１０（図２参照）に対応した形状である。即ち、蓋板３２は、Ｙ軸方向に長い矩形状の板材である。
【００７４】
以上のように構成されるケース３には、負極２１の各平坦部２３３が長壁部３１３と平行（略平行）となる（即ち、各第一部材ターン部２３４が短壁部３１４と対向する）ように、絶縁部材６に覆われた状態の電極体２が収容される（図２及び図３参照）。このとき、ケース３は、電極体２の全体をＸ軸方向に圧迫（押圧）した状態で該電極体２を収容する。
【００７５】
外部端子４は、他の蓄電素子の外部端子又は外部機器等と電気的に接続される部位である。このため、外部端子４は、導電性を有する部材によって形成される。また、外部端子４は、溶接性の高い金属材料によって形成される。例えば、正極の外部端子４は、アルミニウム又はアルミニウム合金等のアルミニウム系金属材料によって形成され、負極の外部端子４は、銅又は銅合金等の銅系金属材料によって形成される。本実施形態の外部端子４は、少なくとも一部がケース３の外部に露出した状態で蓋板３２に取り付けられる。
【００７６】
絶縁部材６は、絶縁性を有する樹脂によって形成されている。具体的に、絶縁部材６は、図２及び図３に示すように、所定の形状に裁断された絶縁性を有するシート状の部材を折り曲げることによって袋状に形成されている。本実施形態の絶縁部材６は、ケース３に沿った形の袋状である。
【００７７】
以上の蓄電素子１によれば、正極２２を含む第二部材２６Ａの第二部材ターン部２６１Ａが、第二部材折り返し部２６１の内側に配置される負極２１（第一の第一部材折り返し部２３Ａ）の第一の第一部材ターン部２３４Ａと当接している。このため、第二部材２６Ａの第一の第一部材折り返し部２３Ａ側への移動が規制され、これにより、負極２１に対する正極２２のずれが抑えられる。また、正極２２を含む第三部材２６Ｂの第三部材ターン部２６２Ｂが、第三部材折り返し部２６２の内側に配置される負極２１（第二の第一部材折り返し部２３Ｂ）の第二の第一部材ターン部２３４Ｂと当接している。このため、第三部材２６Ｂの第二の第一部材折り返し部２３Ｂ側への移動が規制され、これにより、負極２１に対する正極２２のずれが抑えられる。
【００７８】
即ち、複数の第一の第一部材折り返し部２３Ａを有する負極２１に対し、複数の第二部材２６Ａのそれぞれの移動（第二部材２６Ａにおける第一の第一部材折り返し部２３Ａ側への移動）が規制され、これにより、第二部材２６Ａが配置された各第一の第一部材折り返し部２３Ａにおける負極２１に対する正極２２のずれが抑えられる。また、複数の第二の第一部材折り返し部２３Ｂを有する負極２１に対し、複数の第三部材２６Ｂのそれぞれの移動（第三部材２６Ｂにおける第二の第一部材折り返し部２３Ｂ側への移動）が規制され、これにより、第三部材２６Ｂが配置された各第二の第一部材折り返し部２３Ｂにおける負極２１に対する正極２２のずれが抑えられる。
【００７９】
本実施形態の蓄電素子１では、第二部材２６Ａにおいて、正極２２が第二部材ターン部２６１Ａを除いた位置に配置されている。また、第三部材２６Ｂにおいても、正極２２が第三部材ターン部２６２Ｂを除いた位置に配置されている。このように、蓄電素子１において、正極２２が第二部材２６Ａにおける第二部材ターン部２６１Ａと当接する位置に配置されていないため、第二部材２６Ａにおける第二部材ターン部２６１Ａの厚さ寸法が抑えられる。また、正極２２が第三部材２６Ｂにおける第三部材ターン部２６２Ｂと当接する位置に配置されていないため、第三部材２６Ｂにおける第三部材ターン部２６２Ｂの厚さ寸法も抑えられる。これらによって、電極体２の大きさが抑えられる。しかも、正極２２のそれぞれが、第二部材２６Ａ及び第三部材２６Ｂの第二部材ターン部２６１Ａや第三部材ターン部２６２Ｂに配置されていないことで、正極２２が折れ曲がることで受けるダメージ（例えば、正極活物質層２２２の剥離等）も抑えられる。
【００８０】
また、本実施形態の蓄電素子１では、第二部材２６Ａにおいて、複数（本実施形態の例では二つ）の正極２２が互いに間隔αをあけて配置され、セパレータ２５が複数の正極２２に重ねられると共に、第二部材ターン部２６１Ａに正極２２が配置されない構成となっている。これにより、電極体２の大きさを抑えることができると共に、複数の正極２２を一つの部材として取り扱うことで、蓄電素子１の生産性が向上する。尚、この効果（電極体２の大きさの抑制又は生産性の向上）を得ることを目的とする場合には、必ずしも、上記実施形態の第一の第一部材ターン部２３４Ａが第二部材ターン部２６１Ａに当接する構成を備えなくてもよい。即ち、上記効果を得るためには、上記実施形態の第一の第一部材ターン部２３４Ａが第二部材ターン部２６１Ａに当接する構成の有無に関わりなく、第二部材２６Ａにおいて、複数の正極２２が互いに間隔をあけて配置され、セパレータ２５が複数の正極２２に重ねられると共に、第二部材ターン部２６１Ａに正極２２が配置されない構成となっていればよい。
【００８１】
また、本実施形態の蓄電素子１では、負極２１におけるＸ軸方向に隣り合う第一の第一部材折り返し部２３Ａ間、又はＸ軸方向に隣り合う第二の第一部材折り返し部２３Ｂ間において第二部材２６Ａ同士、又は第三部材２６Ｂ同士が重ならないように、第二部材２６Ａ及び第三部材２６Ｂのそれぞれが配置されている。かかる構成によれば、Ｘ軸方向に隣り合う第一の第一部材折り返し部２３Ａ間、又はＸ軸方向に隣り合う第二の第一部材折り返し部２３Ｂ間に第二部材２６Ａ同士又は第三部材２６Ｂ同士が重なる場合に比べ、電極体２の寸法が抑えられる。
【００８２】
また、本実施形態の蓄電素子１では、第二部材２６Ａ及び第三部材２６Ｂの正極２２において、正極活物質層２２２が、金属箔２２１の各面における負極２１（負極活物質層２１２）と対向する領域のみに配置されている。このように、負極２１と対向していない領域に正極活物質層２２２のない第二部材２６Ａ及び第三部材２６Ｂ（即ち、充放電に寄与しない正極活物質層２２２を有していない部材）が用いられることで、負極２１と対向していない領域に正極活物質層２２２を有する第二部材２６Ａや第三部材２６Ｂが用いられる場合に比べ、電極体２の小型化が図られる。
【００８３】
また、本実施形態の第二部材２６Ａ及び第三部材２６Ｂでは、正極２２が無機層を有するセパレータ２５によって覆われている。このように、第二部材２６Ａ及び第三部材２６Ｂに無機層を有するセパレータ２５が用いられることで、第二部材２６Ａ及び第三部材２６Ｂが中央部（二つの正極２２の間の位置）で折り曲げられたときに折目がきっちりとつく。これにより、第二部材２６Ａ及び第三部材２６Ｂが負極２１の第一部材折り返し部２３に重ねられる（詳しくは、第一部材折り返し部２３の第一部材ターン部２３４Ａ、２３４Ｂが第二部材折り返し部２６１の第二部材ターン部２６１Ａや第三部材折り返し部２６２の第三部材ターン部２６２Ｂに当接するように、第二部材２６Ａ及び第三部材２６Ｂが第一部材折り返し部２３に重ねられる）ときの該第一部材折り返し部２３に対する第二部材２６Ａ及び第三部材２６Ｂの位置決めが行い易くなる。
【００８４】
従来の蓄電素子では、セパレータに覆われた（包まれた）短冊状の電極（本実施形態の例では正極）２２がつづら折り状態の長尺電極（本実施形態の例では負極）２１の各第一部材折り返し部２３の内側に配置される場合、通常、正極２２を覆うセパレータが折り曲げられることはない。これは、無機層を有するセパレータを含む部材が、該セパレータが折り曲げられた状態で配置されると、該セパレータの折り曲げ箇所においてセパレータの無機層が剥離するという新たな課題が生じるためである。
【００８５】
この課題に対し、本実施形態の蓄電素子１では、第二部材２６Ａ及び第三部材２６Ｂにおいて、一対のセパレータ２５のそれぞれが無機層を内側（正極２２側）に向けた状態で該正極２２を挟み込んでいる。これにより、第二部材２６Ａ及び第三部材２６Ｂの折り曲げ（折り返し）によってセパレータ２５の折り曲げ部位の無機層が剥がれたとしても、この剥がれた無機層を第二部材２６Ａ及び第三部材２６Ｂ（一対のセパレータ２５間）に閉じ込めることができる。即ち、セパレータ２５の折り曲げによって該セパレータ２５から剥がれた無機層がケース３内で拡散することを防ぐことができる。
【００８６】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８７】
上記実施形態の蓄電素子１では、一つの第二部材折り返し部２６１及び一つの第三部材折り返し部２６２の内側に一つの第一部材折り返し部２３（第一の第一部材折り返し部２３Ａ、第二の第一部材折り返し部２３Ｂ）がそれぞれ配置されているが、この構成に限定されない。例えば、複数の第一部材折り返し部２３が一つの第二部材折り返し部２６１又は一つの第三部材折り返し部２６２の内側に配置されてもよい。この場合、図１３に示すように、一つの第二部材折り返し部２６１又は第三部材折り返し部２６２の内側に配置される複数の第一部材折り返し部２３同士の間（即ち、Ｘ軸方向に隣り合う第一部材折り返し部２３間）に枚葉状の第四部材（正極（第二の電極）２２を含む部材）２６Ｃが配置されるのが好ましい。尚、図１３に示す例では、第一部材折り返し部２３間に配置される正極２２がセパレータ２５によって両面側から覆われることで、枚葉状の第四部材２６Ｃが形成されている。
【００８８】
また、上記実施形態の蓄電素子１では、第二部材２６Ａ及び第三部材２６Ｂが、Ｘ軸方向に並ぶ複数の第一部材折り返し部２３に対し、一つ置きに重ねられている（配置されている）が、この構成に限定されない。第二部材２６Ａ及び第三部材２６Ｂは、Ｘ軸方向に並ぶ複数の第一部材折り返し部２３に対し、二つ置き、三つ置き、又はそれ以上の間隔をあけて配置されてもよい。また、第一部材折り返し部２３毎に、第二部材２６Ａや第三部材２６Ｂが配置されていてもよい。
【００８９】
上記実施形態の第二部材２６Ａ及び第三部材２６Ｂは、折り返し部（第二部材折り返し部２６１、第三部材折り返し部２６２）を一つ有している、即ち、第二部材２６Ａ及び第三部材２６Ｂは、第二部材折り返し部２６１、第三部材折り返し部２６２のみによって構成されているが、この構成に限定されない。第二部材２６Ａ及び第三部材２６Ｂは、図１４に示すように、複数（図１４に示す例では二つ）の第二部材折り返し部２６１又は第三部材折り返し部２６２を有してもよい。この場合、一つの第二部材折り返し部２６１又は第三部材折り返し部２６２の内側に一つの第一部材折り返し部２３が配置されることが好ましいが、複数の第一部材折り返し部２３が配置されてもよい。
【００９０】
上記実施形態の第二部材折り返し部２６１、第三部材折り返し部２６２では、方向転換している部位（第二部材ターン部２６１Ａ、第三部材ターン部２６２Ｂ）が旋回方向において連続した部位であるが、この構成に限定されない。第二部材折り返し部２６１、第三部材折り返し部２６２は、図１５に示すように、第二部材２６Ａ、第三部材２６Ｂが複数の枚葉状の第五部材２６Ｄの端部同士を束ねた（接続した）構成のように、方向転換している部位（第二部材ターン部２６１Ａ、第三部材ターン部２６２Ｂ）が旋回方向において連続していない構成も含む。
【００９１】
上記実施形態の負極（第一部材）２１では、負極タブ２３５は、第一部材ターン部２３４を挟んで（介して）配置される二つの平坦部２３３からそれぞれ延びているが（図８参照）この構成に限定されない。図１６に示すように、負極タブ２３５Ａは、第一部材ターン部２３４のＺ軸方向の端縁（図１６に示す例では、第二の第一部材ターン部２３４ＢのＺ軸方向の端縁の全域）から折れ曲がった状態で延びていてもよい。かかる構成によれば、負極タブ（延出片）２３５Ａが折れ曲がった（湾曲した）状態でＺ軸方向に延びているため、負極タブ２３５の強度が確保される。尚、この効果（負極タブ（延出片）２３５Ａの機械的強度の確保）を得ることを目的とする場合には、必ずしも、上記実施形態の第二部材折り返し部２６１、第三部材折り返し部２６２を有する部材（上記実施形態の例では第二部材２６Ａ、第三部材２６Ｂ）を備えていなくてもよい。即ち、上記効果を得るためには、上記実施形態の第二部材折り返し部２６１、第三部材折り返し部２６２を有する部材２６Ａ、２６Ｂの有無や構成に関わりなく、第一部材（上記実施形態の例では負極２１）の本体２１０の長辺２１０Ａにおいて、第一の第一部材ターン部２３４Ａ又は第二の第一部材ターン部２３４Ｂの幅方向の端縁から折れ曲がった状態で延びる構成さえあれば（即ち、図１６に示す部材２１があれば）得られる。
【００９２】
上記実施形態の電極体２は、つづら折り状態の負極（第一部材）２１を一つ有しているが、この構成に限定されない。電極体２は、つづら折り状態の負極２１を複数有していてもよい。この場合、例えば図１７及び図１８に示すように、隣り合う負極２１（第一部材）のうちの一方の負極２１の第一部材折り返し部２３（第一の第一部材折り返し部２３Ａ及び第二の第一部材折り返し部２３Ｂの少なくとも一方）と、隣り合う負極２１のうちの他方の負極２１の第一部材折り返し部２３（第一の第一部材折り返し部２３Ａ及び第二の第一部材折り返し部２３Ｂの少なくとも一方）とが、共通の第二部材２６Ａ又は第三部材２６Ｂの折り返し部（第二部材折り返し部２６１、第三部材折り返し部２６２）の内側に配置されていることが好ましい。かかる構成によれば、負極（第一部材）２１同士を接続する部位を、蓄電素子１の充放電に寄与させることができる。また、各負極（第一部材）２１の一部（第一部材折り返し部２３又はその一部）が第二部材２６Ａ、第三部材２６Ｂのターン部（第二部材ターン部２６１Ａ、第三部材ターン部２６２Ｂ）の内側に直接又は間接に当接することで、各第一部材折り返し部２３（複数の負極２１のそれぞれ）の第二部材２６Ａ、第三部材２６Ｂ側への移動が規制されるため、複数の第一部材２１同士の位置ずれが抑えられる。即ち、第二部材２６Ａ、第三部材２６Ｂによって複数の第一部材２１同士のずれが抑えられる。
【００９３】
また、上記実施形態の電極体２では、正極タブ２２４の突出位置が異なる二種類の部材（第二部材２６Ａ、第三部材２６Ｂ）が配置されているが、この構成に限定されない。電極体２において、一種類の部材（例えば、第二部材２６Ａ）のみが配置されてもよい。この場合、各第二部材２６Ａの正極タブ２２４は、電極体２におけるＹ軸方向の複数個所（第二部材２６Ａのみの場合は二箇所）で束ねられる。
【００９４】
尚、例えば、第二部材２６Ａにおいて、正極タブ（延出片）２２４が矩形状の正極本体（電極本体）２２３における一つの辺（端縁）の中央位置から突出する正極２２Ａが用いられれば（図１９参照）、一種類の部材２６Ａが第一の第一部材折り返し部２３Ａ及び第二の第一部材折り返し部２３Ｂの両方に重ねられても、電極体２において正極タブ２２４を一つに束ねることができる。
【００９５】
上記実施形態の電極体２では、負極２１は、つづら折り状態、即ち、第一の第一部材折り返し部２３Ａと第二の第一部材折り返し部２３Ｂとがその一部を互いに共通させつつ交互に連続配置されているが、この構成に限定されない。電極体２は、例えば図２０に示すように、それぞれが独立した負極２１によって構成される複数の第一部材折り返し部２３を有していてもよい。
【００９６】
上記実施形態の電極体２では、第二部材折り返し部２６１、第三部材折り返し部２６２の第二部材ターン部２６１Ａ、第三部材ターン部２６２Ｂと、第一部材折り返し部２３の第一部材ターン部２３４とが直接当接しているが、この構成に限定されない。例えば、電極体２において、第二部材折り返し部２６１、第三部材折り返し部２６２のターン部２６１Ａ、２６２Ｂと、第一部材折り返し部２３の第一部材ターン部２３４とが、セパレータ（第一部材２１、第二部材２６Ａ、及び第三部材２６Ｂの何れにも含まれないセパレータ）等の他の部材を介して、即ち、間接に当接していてもよい。
【００９７】
上記実施形態の電極体２は、負極（第一部材）２１と第二部材２６Ａと第三部材２６Ｂとによって構成されているが、この構成に限定されない。電極体２は、他の構成部材を有していてもよい。例えば、電極体２は、図２１に示すように、つづら折り状態の負極（第一部材）２１のＸ軸方向の両端面と重なる部材を有していてもよい。即ち、電極体２は、内側につづら折り状態の負極（第一部材）２１全体が配置される折り返し部２６３を有する部材２６Ｅを有していてもよい。この部材２６Ｅは、つづら折り状態の負極２１の前記両端面と重なる位置に配置される正極２２と、この正極２２と重なる（覆う）セパレータ２５と、を有する。また、折り返し部２６３を有する部材２６Ｅは、図２２に示すように、第二部材２６Ａ又は第三部材２６Ｂと一体（詳しくは、その一部を共通させた状態で一体）であってもよい。
【００９８】
上記実施形態の電極体２では、第一部材が負極２１のみを含み、セパレータを含んでいないが、この構成に限定されない。第一部材２１は、セパレータ２５を含んでいてもよい。即ち、第一部材は、負極２１とセパレータ２５とを含んでもよい。
【００９９】
上記実施形態の電極体２では、第二部材２６Ａの構成部材（正極２２、セパレータ２５）のそれぞれと、第三部材２６Ｂの構成部材（正極２２、セパレータ２５）のそれぞれとは、互いに同じ形状であるが、この構成に限定されない。第二部材２６Ａの構成部材のそれぞれと第三部材２６Ｂの構成部材のそれぞれとは、互いに異なる形状であってもよい。
【０１００】
上記実施形態の電極体２では、Ｙ軸方向の両端部に矩形の正極タブ２２４と矩形の負極タブ２３５とが配置されているが、この構成に限定されない。正極タブ２２４と負極タブ２３５との形状及び電極体２における位置は、適宜変更可能である。
【０１０１】
上記実施形態の蓄電素子１は、第一の電極が負極２１で、第二の電極が正極２２で、第三の電極が正極２２であるが、この構成に限定されない。第一の電極が正極で、第二の電極が負極で、第三の電極が負極でもよい。
【０１０２】
上記実施形態の電極体２では、セパレータ２５の粒子層（上記実施形態の例では無機層）に含まれる粒子は、無機粒子であるが、この構成に限定されない。セパレータ２５の粒子層に含まれる粒子は、ポリエチレン又はポリプロピレン等の樹脂により形成される樹脂粒子等であってもよい。
【０１０３】
また、上記実施形態においては、蓄電素子が充放電可能な非水電解質二次電池（例えばリチウムイオン二次電池）として用いられる場合について説明したが、蓄電素子の種類や大きさ（容量）は任意である。また、上記実施形態において、蓄電素子の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【０１０４】
蓄電素子（例えば電池）１は、図２３に示すような蓄電装置（蓄電素子が電池の場合は電池モジュール）１１に用いられてもよい。蓄電装置１１は、少なくとも二つの蓄電素子１と、二つの（異なる）蓄電素子１同士を電気的に接続するバスバ部材１２と、を有する。この場合、本発明の技術が少なくとも一つの蓄電素子１に適用されていればよい。
【符号の説明】
【０１０５】
１…蓄電素子、２…電極体、２１…負極（第一の電極、第一部材）、２１Ａ…山折り線、２１Ｂ…谷折り線、２１０…本体、２１０Ａ…長辺、２１１…金属箔、２１２…負極活物質層、２２、２２Ａ、２２Ｂ…正極（第二の電極、第三の電極）、２２１…金属箔、２２２…正極活物質層、２２３…正極本体、２２４…正極タブ、２３…第一部材折り返し部、２３Ａ…第一の第一部材折り返し部、２３Ｂ…第二の第一部材折り返し部、２３１、２３１Ａ、２３１Ｂ…第一の面、２３２、２３２Ａ、２３２Ｂ…第二の面、２３３、２３３Ａ、２３３Ｂ…平坦部、２３４…第一部材ターン部、２３４Ａ…第一の第一部材ターン部、２３４Ｂ…第二の第一部材ターン部、２３５、２３５Ａ…負極タブ（延出片）、２５…セパレータ、２６Ａ…第二部材、２６Ｂ…第三部材、２６Ｃ…枚葉状の第四部材、２６Ｄ…枚葉状の第五部材、２６Ｅ…折り返し部を有する部材、２６１…第二部材折り返し部（折り返し部）、２６１Ａ…第二部材ターン部、２６２…第三部材折り返し部（折り返し部）、２６２Ｂ…第三部材ターン部、２６３…折り返し部、３…ケース、３１…ケース本体、３１０…開口周縁部、３１１…閉塞部、３１２…胴部、３１３…長壁部、３１４…短壁部、３２…蓋板、４…外部端子、５…集電体、６…絶縁部材、１１…蓄電装置、１２…バスバ部材、５００…電池、５０１…負極電極板（長尺電極板）、５０２…銅箔、５０３…負極活物質層、５０４…正極電極板（短冊状電極板）、５０５…アルミニウム箔、５０６…正極活物質層、５０７…セパレータ、５０８…一体長尺物、Ｓ…旋回軸、α…間隔
【図１】
2019096466.tif 000003
【図２】
2019096466.tif 000004
【図３】
2019096466.tif 000005
【図４】
2019096466.tif 000006
【図５】
2019096466.tif 000007
【図６】
2019096466.tif 000008
【図７】
2019096466.tif 000009
【図８】
2019096466.tif 000010
【図９】
2019096466.tif 000011
【図１０】
2019096466.tif 000012
【図１１】
2019096466.tif 000013
【図１２】
2019096466.tif 000014
【図１３】
2019096466.tif 000015
【図１４】
2019096466.tif 000016
【図１５】
2019096466.tif 000017
【図１６】
2019096466.tif 000018
【図１７】
2019096466.tif 000019
【図１８】
2019096466.tif 000020
【図１９】
2019096466.tif 000021
【図２０】
2019096466.tif 000022
【図２１】
2019096466.tif 000023
【図２２】
2019096466.tif 000024
【図２３】
2019096466.tif 000025
【図２４】
2019096466.tif 000026